(57)【要約】【課題】  副親機が呼出しを受けた場合に使用者が副親機の場所を特定しやすい無線ドアホンシステムを提供する。【解決手段】  この無線ドアホンシステムは、戸外に設けられた子機１と、子機１と有線で通信を行なう室内に設けられた親機２と、親機２と無線通信を行なう持運び可能な副親機３とを備える。副親機３は、子機１からの呼出しまたは親機２からの内線呼出しを受けたことに応じて、所定時間連続的に呼出音を生成する呼出強調処理を行なう呼出強調部２４を含む。したがって、持運び可能な副親機が呼出しを受けた場合に、副親機の場所が聴覚的に認識しやすくなるため、使用者が副親機の場所を特定しやすくなる。【選択図】        図１
2005277846.tif 000002
【特許請求の範囲】
【請求項１】
戸外に設けられた子機と、前記子機と有線で通信を行なう室内に設けられた親機と、前記親機と無線通信を行なう持運び可能な副親機とを備えた無線ドアホンシステムであって、
前記副親機は、
前記親機を介して前記子機から呼出しを受けた場合、前記子機から呼出しがあったことを強調して使用者に知らせる呼出強調手段を含む、無線ドアホンシステム。
【請求項２】
前記呼出強調手段は、前記子機から呼出しを受けた場合に通常よりも長い時間呼出音を生成する、請求項１に記載の無線ドアホンシステム。
【請求項３】
前記呼出強調手段は、前記子機から呼出しを受けた場合に発光する発光体を含む、請求項１または請求項２に記載の無線ドアホンシステム。
【請求項４】
前記呼出強調手段は、オン／オフ設定を行なう切換スイッチを含み、前記子機から呼出しを受けた場合に、前記切換スイッチによってオン設定にされている場合は前記子機から呼出しがあったことを強調して使用者に知らせ、前記切換スイッチによってオフ設定にされている場合は前記子機から呼出しがあったことを通常の呼出処理で使用者に知らせる、請求項１から請求項３までのいずれかに記載の無線ドアホンシステム。
【請求項５】
前記副親機は、さらに、前記子機からの呼出しに応答するモニタ手段を含み、
前記呼出強調手段は、強調呼出しを行なっている間に前記モニタ手段によって応答が行なわれた場合は強調呼出しを終了する、請求項１から請求項４までのいずれかに記載の無線ドアホンシステム。
【請求項６】
前記子機は、訪問者の画像を撮像するカメラを含み、
前記副親機は、さらに、前記カメラによって撮像された前記訪問者の画像をモニタ画面に表示させる画面表示ボタンを含み、
前記呼出強調手段は、強調呼出しを行なっている間に使用者によって前記画面表示ボタンが押された場合は強調呼出しを終了する、請求項１から請求項４までのいずれかに記載の無線ドアホンシステム。
【請求項７】
前記親機は、前記副親機を内線で呼出す内線呼出手段を含み、
前記副親機が前記親機から内線で呼出しを受けた場合、前記呼出強調手段は、前記子機から呼出しを受けた場合と同じ呼出処理を行なう、請求項１から請求項６までのいずれかに記載の無線ドアホンシステム。
【発明の詳細な説明】
【技術分野】
【０００１】
この発明は、無線ドアホンシステムに関し、特に、戸外に設けられた子機と、子機と有線で通信を行なう室内に設けられた親機と、親機と無線通信を行なう持運び可能な副親機とを備えた無線ドアホンシステムに関する。
【背景技術】
【０００２】
図７は、従来の無線ドアホンシステムの概略構成を示すブロック図である。図７を参照して、この無線ドアホンシステムは、子機５１、親機５２、副親機５３および伝送線路５４を備える。親機５２は、伝送部６１、制御部６２、呼出音生成部６３、モニタ部６４、内線呼出部６５、無線通信部６６およびアンテナ６７を含む。副親機５３は、アンテナ７１、無線通信部７２、制御部７３、呼出音生成部７４およびモニタ部７５を含む。
【０００３】
子機５１は、戸外に設置され、来訪者によってその呼出ボタンが押された場合、親機５２および副親機５３の呼出しを行なうとともに、内蔵するカメラによって撮像された来訪者の画像を親機５２および副親機５３に与える。また、親機５２および副親機５３と双方向の通話を行なう機能を有する。
【０００４】
親機５２において、伝送部６１は、子機５１と制御部６２との間でデータの送受信を行なう。制御部６２は、ＣＰＵ（Central Processing Unit：中央処理装置）を主構成要素とし、伝送部６１、呼出音生成部６３、モニタ部６４、内線呼出部６５および無線通信部６６の動作を制御する。呼出音生成部６３は、子機５１からの呼出しを受けた場合に呼出音を生成する。この呼出音は、たとえば、１回か２回の「ピンポン」という呼出チャイム、または子機５１の呼出ボタンが押されている期間だけ連続的に生成される呼出チャイムまたは電子音声である。
【０００５】
モニタ部６４は、子機５１からの呼出しを受けた場合、呼出音生成部６３によって生成された呼出音をスピーカから出力する。また、子機５１からの呼出しに応答して、来訪者の画像をモニタ画面に表示する機能を有する。さらに、子機５１からの呼出しに応答して、子機５１と双方向の通話を行なう機能を有する。内線呼出部６５は、室内の使用者によって内線呼出ボタンが押された場合、副親機５３を内線で呼出す。無線通信部６６は、アンテナ６７を介して副親機５３と無線通信を行なう。
【０００６】
副親機５３において、無線通信部７２は、アンテナ７１を介して親機５２と無線通信を行なう。制御部７３は、ＣＰＵを主構成要素とし、無線通信部７２、呼出音生成部７４およびモニタ部７５の動作を制御する。
【０００７】
呼出音生成部７４は、親機５２の呼出音生成部６３と同様の構成であり、子機５１からの呼出しを受けた場合および親機５２からの内線呼出しを受けた場合に呼出音を生成する。この呼出音は、たとえば、１回か２回の「ピンポン」という呼出チャイム、または子機５１の呼出ボタンが押されている期間若しくは親機５２の内線呼出ボタンが押されている期間だけ連続的に生成される呼出チャイムまたは電子音声である。
【０００８】
モニタ部７５は、子機５１からの呼出しを受けた場合および親機５２からの内線呼出しを受けた場合に、呼出音生成部７４によって生成された呼出音をスピーカから出力する。また、子機５１からの呼出しに応答して、来訪者の画像をモニタ画面に表示する機能を有する。さらに、子機５１からの呼出しおよび親機５２からの内線呼出しに応答して、子機５１および親機５２と双方向の通話を行なう機能を有する。
【０００９】
下記の特許文献１には、美観を損なうことなく増設親機を容易に設けることができ、増設親機の設置場所を自由に変更することが可能なインターホン装置が開示されている。これによると、増設親機を設ける際に、親機と増設親機との間の伝送路を形成するための配線施工が不要になり、増設親機の設置場所に制約がなくなる。
【００１０】
また、下記の特許文献２には、インターホン機器の増設や設置場所の変更が容易に行なえる無線式インターホンが開示されている。これによると、専用子機はいずれの親子兼用器とも通話が可能であるとともに、特定の親子兼用機を子機として使用することができる。
【００１１】
また、下記の特許文献３には、ドアホン子器からの呼出しが、新たな配線を必要とせず、離れた場所で判るインターホンシステムおよび警報報知システムが開示されている。これによると、ワイヤレス信号が届く範囲であれば、配線を施す必要がなく、１又は複数のワイヤレス送信器において、ドアホン子器からの呼出を報知できる。
【特許文献１】特開平１１−１６８５６８号公報
【特許文献２】特開平１１−３１７８１８号公報
【特許文献３】特開２０００−６９１８４号公報
【発明の開示】
【発明が解決しようとする課題】
【００１２】
以上のように、従来の無線ドアホンシステムでは、来訪者があった場合、副親機では、１回か２回の「ピンポン」という呼出チャイム、または子機の呼出ボタンが押されている期間だけしか呼出音が鳴らなかった。無線通信機能を備えた副親機は持運び可能であるため、その設置場所が固定されない。このため、副親機から呼出音が鳴っても、使用者が副親機の場所を特定できないことがあった。
【００１３】
それゆえに、この発明の主たる目的は、副親機が呼出しを受けた場合に使用者が副親機の場所を特定しやすい無線ドアホンシステムを提供することである。
【課題を解決するための手段】
【００１４】
この発明に係る無線ドアホンシステムは、戸外に設けられた子機と、子機と有線で通信を行なう室内に設けられた親機と、親機と無線通信を行なう持運び可能な副親機とを備えた無線ドアホンシステムであって、副親機は、親機を介して子機から呼出しを受けた場合、子機から呼出しがあったことを強調して使用者に知らせる呼出強調手段を含む。
【００１５】
好ましくは、呼出強調手段は、子機から呼出しを受けた場合に通常よりも長い時間呼出音を生成する。
【００１６】
好ましくは、呼出強調手段は、子機から呼出しを受けた場合に発光する発光体を含む。
【００１７】
好ましくは、呼出強調手段は、オン／オフ設定を行なう切換スイッチを含み、子機から呼出しを受けた場合に、切換スイッチによってオン設定にされている場合は子機から呼出しがあったことを強調して使用者に知らせ、切換スイッチによってオフ設定にされている場合は子機から呼出しがあったことを通常の呼出処理で使用者に知らせる。
【００１８】
好ましくは、副親機は、さらに、子機からの呼出しに応答するモニタ手段を含む。呼出強調手段は、強調呼出しを行なっている間にモニタ手段によって応答が行なわれた場合は強調呼出しを終了する。
【００１９】
好ましくは、子機は、訪問者の画像を撮像するカメラを含む。また、副親機は、さらに、カメラによって撮像された訪問者の画像をモニタ画面に表示させる画面表示ボタンを含む。呼出強調手段は、強調呼出しを行なっている間に使用者によって画面表示ボタンが押された場合は強調呼出しを終了する。
【００２０】
好ましくは、親機は、副親機を内線で呼出す内線呼出手段を含む。副親機が親機から内線で呼出しを受けた場合、呼出強調手段は、子機から呼出しを受けた場合と同じ呼出処理を行なう。
【発明の効果】
【００２１】
この発明に係る無線ドアホンシステムでは、副親機は、親機を介して子機から呼出しを受けた場合、子機から呼出しがあったことを強調して使用者に知らせる呼出強調手段を含む。したがって、持運び可能な副親機が子機からの呼出しを受けた場合に、使用者が副親機の場所を特定しやすくなる。
【００２２】
好ましくは、呼出強調手段は、子機から呼出しを受けた場合に通常よりも長い時間呼出音を生成する。この場合は、持運び可能な副親機が子機からの呼出しを受けた場合に、使用者が副親機の場所を聴覚的に認識しやすくなる。
【００２３】
好ましくは、呼出強調手段は、子機から呼出しを受けた場合に発光する発光体を含む。この場合は、持運び可能な副親機が子機からの呼出しを受けた場合に、使用者が副親機の場所を視覚的に認識しやすくなる。
【００２４】
好ましくは、呼出強調手段は、オン／オフ設定を行なう切換スイッチを含み、子機から呼出しを受けた場合に、切換スイッチによってオン設定にされている場合は子機から呼出しがあったことを強調して使用者に知らせ、切換スイッチによってオフ設定にされている場合は子機から呼出しがあったことを通常の呼出処理で使用者に知らせる。この場合は、使用者が強調呼出しを必要としない場合は通常の呼出処理を行なうため、使用者の不快感をなくすことができる。
【００２５】
好ましくは、副親機は、さらに、子機からの呼出しに応答するモニタ手段を含む。呼出強調手段は、強調呼出しを行なっている間にモニタ手段によって応答が行なわれた場合は強調呼出しを終了する。この場合は、強調呼出しの必要がなくなった時点で強調呼出しを終了させることができる。
【００２６】
好ましくは、子機は、訪問者の画像を撮像するカメラを含む。また、副親機は、さらに、カメラによって撮像された訪問者の画像をモニタ画面に表示させる画面表示ボタンを含む。呼出強調手段は、強調呼出しを行なっている間に使用者によって画面表示ボタンが押された場合は強調呼出しを終了する。この場合も、強調呼出しの必要がなくなった時点で強調呼出しを終了させることができる。
【００２７】
好ましくは、親機は、さらに、副親機を内線で呼出す内線呼出手段を含む。副親機が親機から内線で呼出しを受けた場合、呼出強調手段は、子機から呼出しを受けた場合と同じ呼出処理を行なう。この場合は、持運び可能な副親機が親機からの内線呼出しを受けた場合も、使用者が副親機の場所を特定しやすくなる。
【発明を実施するための最良の形態】
【００２８】
［実施の形態１］
図１は、この発明の実施の形態１による無線ドアホンシステムの概略構成を示すブロック図である。図１を参照して、この無線ドアホンシステムは、子機１、親機２、副親機３および伝送線路４を備える。親機２は、伝送部１１、制御部１２、呼出音生成部１３、モニタ部１４、内線呼出部１５、無線通信部１６およびアンテナ１７を含む。副親機３は、アンテナ２１、無線通信部２２、制御部２３、呼出強調部２４およびモニタ部２５を含む。
【００２９】
子機１は、戸外に設置され、来訪者によってその呼出ボタンが押された場合、親機２および副親機３の呼出しを行なうとともに、内蔵するカメラによって撮像された来訪者の画像を親機２および副親機３に与える。また、親機２および副親機３と双方向の通話を行なう機能を有する。
【００３０】
親機２において、伝送部１１は、子機１と制御部１２との間でデータの送受信を行なう。制御部１２は、ＣＰＵを主構成要素とし、伝送部１１、呼出音生成部１３、モニタ部１４、内線呼出部１５および無線通信部１６の動作を制御する。呼出音生成部１３は、子機１からの呼出しを受けた場合に呼出音を生成する。この呼出音は、たとえば、１回か２回の「ピンポン」という呼出チャイム、または子機５１の呼出ボタンが押されている期間だけ連続的に生成される呼出チャイムまたは電子音声である。
【００３１】
モニタ部１４は、子機１からの呼出しを受けた場合、呼出音生成部１３によって生成された呼出音をスピーカから出力する。また、子機１からの呼出しに応答して、来訪者の画像をモニタ画面に表示する機能を有する。さらに、子機１からの呼出しに応答して、子機１と双方向の通話を行なう機能を有する。内線呼出部１５は、室内の使用者によって内線呼出ボタンが押された場合、副親機３を内線で呼出す。無線通信部１６は、アンテナ１７を介して副親機３と無線通信を行なう。
【００３２】
副親機３において、無線通信部２２は、アンテナ２１を介して親機２と無線通信を行なう。制御部２３は、ＣＰＵを主構成要素とし、無線通信部２２、モニタ部２５および呼出強調部２４の動作を制御する。
【００３３】
呼出強調部２４は、オン／オフ設定を行なうモード切換スイッチによって呼出強調モードまたは非呼出強調モードに設定される。呼出強調モードに設定された場合は、子機１からの呼出しまたは親機２からの内線呼出しを受けたことに応じて、所定時間連続的に呼出音を生成する呼出強調処理を行なう。この呼出音は、たとえば「ピンポン」という呼出チャイム、または電子音声である。一方、非呼出強調モードに設定された場合は、通常の呼出処理を行なう。すなわち、１回か２回の「ピンポン」という呼出チャイム、または子機１の呼出ボタンが押されている期間若しくは副親機２の内線呼出ボタンが押されている期間だけ連続的な呼出チャイムまたは電子音声を生成する。使用者が強調呼出しを必要としない場合は、モード切換スイッチで非呼出強調モードに設定すれば通常の呼出処理を行なうため、使用者の不快感をなくすことができる。
【００３４】
モニタ部２５は、子機１からの呼出しを受けた場合および親機２からの内線呼出しを受けた場合に、呼出強調部２４によって生成された呼出音をスピーカから出力する。また、子機１からの呼出しに応答して、来訪者の画像をモニタ画面に表示する機能を有する。さらに、子機１からの呼出しおよび親機２からの内線呼出しに応答して、子機１および親機２と双方向の通話を行なう機能を有する。
【００３５】
図２は、図１に示した呼出強調部２４の動作を説明するためのフローチャートである。図２を参照して、ステップＳ１において、副親機３が子機１からの呼出しまたは親機２の内線呼出しを受けると、ステップＳ２に進む。
【００３６】
ステップＳ２において、呼出強調部２４が非呼出強調モードに設定されている場合（ＮＯ）は、ステップＳ３に進み、通常の呼出処理を行なう。すなわち、１回か２回の「ピンポン」という呼出チャイム、または子機１の呼出ボタンが押されている期間若しくは副親機２の内線呼出ボタンが押されている期間だけ連続的な呼出チャイムまたは電子音声が生成される。一方、ステップＳ２において、呼出強調部２４が呼出強調モードに設定されている場合（ＹＥＳ）は、ステップＳ４に進み、呼出強調処理を開始する。
【００３７】
次に、ステップＳ５において、子機１からの呼出しに対して親機２または副親機３による応答があった場合、および親機２からの内線呼出しに対して副親機３による応答があった場合（ＹＥＳ）は、ステップＳ７に進み、呼出強調処理を終了する。また、親機２からの内線呼出しが途中で取消された場合も、ステップＳ７に進み、呼出強調処理を終了する。これにより、呼出強調処理の必要がなくなった時点で呼出強調処理が終了される。一方、ステップＳ５において、子機１からの呼出しに対して親機２または副親機３による応答がない場合、および親機２からの内線呼出しに対して副親機３による応答がない場合（ＮＯ）は、ステップＳ６に進む。
【００３８】
ステップＳ６において、呼出強調処理が開始された時刻からの時間をカウントし、所定時間が経過していない場合は、ステップＳ５に戻る。一方、呼出強調処理が開始された時刻から所定時間が経過した場合は、ステップＳ７に進み、呼出強調処理を終了する。
【００３９】
図３は、図１に示した副親機３の上面の外観図である。図４は、副親機３の側面の外観図である。図３および図４の副親機３を参照して、この副親機３には、モード切換スイッチ３１、マイク３２、モニタ画面３３、スピーカ３４、画面表示ボタン３５および通話ボタン３６が設けられる。モード切換スイッチ３１は、図２に示した呼出強調部２４に含まれ、マイク３２、モニタ画面３３、スピーカ３４、画面表示ボタン３５および通話ボタン３６は、図２に示したモニタ部２５に含まれる。
【００４０】
副親機３は、モード切換スイッチ３１によって、呼出強調モード（ＯＮ）または非呼出強調モード（ＯＦＦ）に設定される。非呼出強調モード（ＯＦＦ）に設定されている場合、副親機３が子機１からの呼出しまたは親機２からの内線呼出しを受けると、スピーカ３４から通常の呼出音が出力される。子機１からの呼出しに応答して、画面表示ボタン３５が押されると、子機１のカメラによって撮像された来訪者の画像がモニタ画面３３に表示される。また、子機１からの呼出しまたは親機２からの内線呼出しに応答して、通話ボタン３６が押されると、マイク３２およびスピーカ３４を介して子機１または親機２との双方向の通話が可能となる。
【００４１】
一方、呼出強調モード（ＯＮ）に設定されている場合、副親機３が子機１からの呼出しまたは親機２からの内線呼出しを受けると、スピーカ３４から所定時間連続的に呼出音が出力される。この呼出音は、たとえば「ピンポン」という呼出チャイム、または電子音声である。この呼出音は所定時間鳴り続け、所定時間が経過すると鳴り止む。ただし、子機１からの呼出しに応答して、所定時間が経過する前に画面表示ボタン３５が押されると、子機１のカメラによって撮像された来訪者の画像がモニタ画面３３に表示されるとともに、スピーカ３４からの呼出音が鳴り止む。また、子機１からの呼出しまたは親機２からの内線呼出しに応答して、所定時間が経過する前に通話ボタン３６が押されると、マイク３２およびスピーカ３４を介して子機１または親機２との双方向の通話が可能になるとともに、スピーカ３４からの呼出音が鳴り止む。
【００４２】
以上のように、この実施の形態１では、副親機が子機からの呼出しまたは親機からの内線呼出しを受けた場合、所定時間呼出音が鳴り続ける。したがって、持運び可能な副親機が呼出しを受けた場合に、副親機の場所が聴覚的に認識しやすくなるため、使用者が副親機の場所を特定しやすくなる。
【００４３】
［実施の形態１の変更例］
図５は、この発明の実施の形態１の変更例による副親機４１の上面の外観図である。図６は、副親機４１の側面の外観図である。図５および図６は、それぞれ図３および図４と対比される図である。図５および図６の副親機４１を参照して、図３および図４の副親機３と異なる点は、発光体４２が追加されている点である。なお、図５および図６において、図３および図４と対応する部分においては同一符号を付し、その詳細説明を省略する。
【００４４】
発光体４２は、図２に示した呼出強調部２４に含まれる。この発光体４２は、たとえば、ＬＥＤ（light-emitting diode：発光ダイオード）や豆電球である。呼出強調部２４によって呼出強調処理が行なわれている期間、発光体４２は発光動作（点滅または点灯）を行なう。
【００４５】
モード切換スイッチ３１によって非呼出強調モード（ＯＦＦ）に設定されている場合、副親機４１が子機１からの呼出しまたは親機２からの内線呼出しを受けても、発光体４２は発光しない。一方、モード切換スイッチ３１によって呼出強調モード（ＯＮ）に設定されている場合、副親機４１が子機１からの呼出しまたは親機２からの内線呼出しを受けると、スピーカ３４から所定時間連続的に呼出音が出力されるとともに、発光体４２が発光動作を行なう。この発光体４２は、所定時間発光動作を行ない、所定時間が経過すると発光動作を終了する。ただし、子機１からの呼出しに応答して、所定時間が経過する前に画面表示ボタン３５が押されると、子機１のカメラによって撮像された来訪者の画像がモニタ画面３３に表示されるとともに、発光体４２の発光動作が終了する。また、子機１からの呼出しまたは親機２からの内線呼出しに応答して、所定時間が経過する前に通話ボタン３６が押されると、マイク３２およびスピーカ３４を介して子機１または親機２との双方向の通話が可能になるとともに、発光体４２の発光動作が終了する。
【００４６】
以上のように、この実施の形態１の変更例では、副親機が子機からの呼出しまたは親機からの内線呼出しを受けた場合、所定時間発光体が発光動作を行なう。したがって、持運び可能な副親機が呼出しを受けた場合に、副親機の場所が視覚的に認識しやすくなるため、使用者が副親機の場所を特定しやすくなる。
【００４７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４８】
【図１】この発明の実施の形態１による無線ドアホンシステムの概略構成を示すブロック図である。
【図２】図１に示した呼出強調部の動作を説明するためのフローチャートである。
【図３】図１に示した副親機の上面の外観図である。
【図４】図１に示した副親機の側面の外観図である。
【図５】この発明の実施の形態１の変更例による副親機の上面の外観図である。
【図６】この発明の実施の形態１の変更例による副親機の側面の外観図である。
【図７】従来の無線ドアホンシステムの概略構成を示すブロック図である。
【符号の説明】
【００４９】
１，５１  子機、２，５２  親機、３，４１，５３  副親機、４，５４  伝送線路、１１，６１  伝送部、１２，２３，６２，７３  制御部、１３，６３，７４  呼出音生成部、１４，２５，６４，７５  モニタ部、１５，６５  内線呼出部、１６，２２，６６，７２  無線通信部、１７，２１，６７，７１  アンテナ、２４  呼出強調部、３１  モード切換スイッチ、３２  マイク、３３  モニタ画面、３４  スピーカ、３５  画面表示ボタン、３６  通話ボタン、４２  発光体。
【図１】
2005277846.tif 000003
【図２】
2005277846.tif 000004
【図３】
2005277846.tif 000005
【図４】
2005277846.tif 000006
【図５】
2005277846.tif 000007
【図６】
2005277846.tif 000008
【図７】
2005277846.tif 000009